(57)【要約】  対象空間の空気調和に係る空調機器で構成する空気調和装置２を有し、空気調和装置２の運転状態をローテーション時間毎に切り換え設定して制御するローテーション制御を行う集中管理リモートコントローラー１０を備える空気調和システム１において、集中管理リモートコントローラー１０は、通信線により接続された空調機器と通信を行う集中管理リモートコントローラー通信部１０２と、空気調和装置２の運転状態を設定する際、通信部の通信により空調機器から送られるデータに基づいて、空気調和装置２の空調負荷に応じてローテーション時間を設定する集中管理リモートコントローラー制御部１０１とを備えるものである。  上記構成により、各空調機器から送られたデータをローテーション制御及びローテーション間隔に反映した制御を行うようにすることで、各空気調和装置の一体的な制御を行う空気調和システムを提供することができる。したがって、システム全体における省エネルギーをはかることができ、快適性を向上させることができる。
2015193976.tif 000002
【特許請求の範囲】
【請求項１】
対象空間の空気調和に係る空調機器で構成する空気調和装置を有し、前記空気調和装置の運転状態をローテーション間隔毎に切り換え設定して制御するローテーション制御を行う管理装置を備える空気調和システムにおいて、  前記管理装置は、  前記空調機器と通信を行う通信部と、  前記空気調和装置の運転状態を設定する際、前記通信部の通信により前記空調機器から送られるデータに基づいて、前記空気調和装置の空調負荷に応じて前記ローテーション間隔を設定する制御部とを備える空気調和システム。
【請求項２】
前記空調機器は、空調対象空間に設置され、照度センサー、人感センサー並びに温度センサー及び湿度センサーのうち、少なくとも１つ備え、前記センサーの検知に係るデータを前記管理装置に送る空調制御リモートコントローラーである請求項１に記載の空気調和システム。
【請求項３】
前記管理装置は、前記ローテーション制御において行う前記運転状態の制御内容毎に、設定と基準値とを関連付けしたデータを有し、  前記制御部は、前記ローテーション制御の制御内容毎に、前記空調機器から送られるデータを数値化し、対応する基準値と関連付けた設定で、前記運転状態及び前記ローテーション間隔を設定する請求項１又は請求項２に記載の空気調和システム。
【請求項４】
前記管理装置は、空気調和装置における前記ローテーション間隔の時間を記憶する記憶部をさらに備え、  前記制御部は、システム全体の消費電力量が規定電力量を超えるものと判断すると、前記記憶部が記憶する前記空気調和装置のローテーション間隔に基づいて、前記電力量を規定電力量内に収めるようにデマンド制御指令を送る前記空気調和装置の順序を決定する請求項１〜請求項３のいずれか一項に記載の空気調和システム。
【発明の詳細な説明】
【技術分野】
【０００１】  本発明は空気調和システムに関する。特にシステム内の空気調和装置をローテーション制御するものである。
【背景技術】
【０００２】  従来の空気調和システムにおいて、複数の空気調和装置を備え、集中管理リモートコントローラーを用いて、所定のローテーション間隔で各空気調和装置の運転状態を切り換えてローテーション制御するものがあった（例えば、特許文献１参照）。
【先行技術文献】
【特許文献】
【０００３】
【特許文献１】特開２０００−２８３５３０号公報（図１）
【発明の概要】
【発明が解決しようとする課題】
【０００４】  例えば、特許文献１等のような従来の空気調和システムにおいては、集中管理リモートコントローラーが、あらかじめ組み込まれた制御プログラムを実行して、空気調和装置のローテーション制御を行うものであった。このため、例えば所定のローテーション間隔が経過するまで、空気調和装置の運転状態を切り換えることができなかった。【０００５】  そして、あらかじめ定められた制御プログラムに基づいてローテーション制御を行うことで、空調対象空間における負荷（空調負荷）の変動に応じた制御ができなかった。【０００６】  このように、従来の空気調和システムでは、空気調和をする必要がない場合又は空調負荷が低いエリアであった場合でも、あらかじめ組み込まれた制御プログラムに従った制御を行うので、柔軟な制御を行うことができないという問題点があった。【０００７】  本発明は、上記のような問題点を解決するためになされたもので、空調負荷に応じた制御を行うことができる空気調和システムを提供することを目的とするものである。
【課題を解決するための手段】
【０００８】  本発明に係る空気調和システムは、対象空間の空気調和に係る空調機器で構成する空気調和装置を有し、空気調和装置の運転状態をローテーション間隔毎に切り換え設定して制御するローテーション制御を行う管理装置を備える空気調和システムにおいて、管理装置は、通信線により接続された空調機器と通信を行う通信部と、空気調和装置の運転状態を設定する際、通信部の通信により空調機器から送られるデータに基づいて、空気調和装置の空調負荷に応じてローテーション間隔を設定する制御部とを備えるものである。
【発明の効果】
【０００９】  本発明は、各空調機器から送られたデータをローテーション制御及びローテーション間隔に反映した制御を行うようにしたので、各空気調和装置の一体的な制御を行う空気調和システムを提供することができる。したがって、システム全体における省エネルギーをはかることができ、快適性を向上させることができる。
【図面の簡単な説明】
【００１０】
【図１】本発明の実施の形態１における空気調和システム１の概略構成の一例を示す図である。
【図２】本発明の実施の形態１に係る室外機２０、室内機３０及び空調制御リモートコントローラー６０の構成を示す図である。
【図３】本発明の実施の形態１に係る集中管理リモートコントローラー１０の構成を示す図である。
【図４】本発明の実施の形態１における集中管理リモートコントローラー１０が行うローテーション制御の一例に関するフローチャートを示す図である。
【図５】本発明の実施の形態１に係るローテーション制御編集画面の一例を示す図である。
【図６】本発明の実施の形態１における集中管理リモートコントローラー制御部１０１が行うローテーション制御指令の詳細例のフローチャートを示す図である。
【図７】本発明の実施の形態１における集中管理リモートコントローラー１０が行うローテーション制御内容変更処理の一例に関するフローチャートを示す図である。
【図８】本発明の実施の形態１におけるローテーション制御データの一例を示す図である。
【図９】本発明の実施の形態１におけるローテーション制御データ記憶部１０４が記憶するデータの一例を示す図である。
【発明を実施するための形態】
【００１１】  以下、発明の実施の形態に係る空気調和システムについて図面等を参照しながら説明する。ここで、図１を含め、以下の図面において、同一の符号を付したものは、同一又はこれに相当するものであり、以下に記載する実施の形態の全文において共通することとする。そして、明細書全文に表わされている構成要素の形態は、あくまでも例示であって、明細書に記載された形態に限定するものではない。特に構成要素の組み合わせは、各実施の形態における組み合わせのみに限定するものではなく、他の実施の形態に記載した構成要素を別の実施の形態に適用することができる。例えば、集中管理リモートコントローラー１０及び空気調和装置２は一例であり、構成については、以下に示すものに限定しない。
【００１２】実施の形態１．  図１は本発明の実施の形態１における空気調和システム１の概略構成の一例を示す図である。本実施の形態では、空気調和システム１において、複数の空気調和装置２の管理装置となる集中管理リモートコントローラー１０が、専用伝送線５０を介して空気調和装置２を構成する各機器について各種データの収集、管理及び制御することで、適切なローテーション制御をはかり、システム全体における省エネルギー性及び快適性を向上させるものである。このため、以下においては、空気調和システム１の通信及び制御系統に関する装置構成、動作等について主に説明する。
【００１３】  図１に示すように、空気調和システム１は、集中管理リモートコントローラー１０及び１又は複数の空気調和装置２を備える。空気調和装置２は、１又は複数の室外機２０、１又は複数の室内機３０及び１又は複数の空調制御リモートコントローラー６０を有する。例えば、図１では、各空気調和装置２は、１台の室外機２０、２台の室内機３０及び２台の空調制御リモートコントローラー６０を有している。集中管理リモートコントローラー１０と空気調和装置２（空気調和装置２を構成する機器）とは、専用伝送線５０を介して通信可能に接続されている。
【００１４】  専用伝送線５０は、例えば、空気調和システム１内独自の通信プロトコルに準拠した通信が行われる信号搬送媒体である。
【００１５】  次に、空気調和装置２に関して説明する。各空気調和装置２は、専用伝送線５０を介して、集中管理リモートコントローラー１０から送られる制御指令等を含む信号に基づいて制御される。また、集中管理リモートコントローラー１０が制御を行うために必要となるデータを信号に含めて集中管理リモートコントローラー１０に送る。
【００１６】  図２は本発明の実施の形態１に係る室外機２０、室内機３０及び空調制御リモートコントローラー６０の構成を示す図である。室外機２０及び室内機３０は、集中管理リモートコントローラー１０との間で各種信号を送受信する。また、集中管理リモートコントローラー１０からの信号に含まれる各種制御指令に基づいて動作を行う。また、室外機２０と、室内機３０とは、冷媒配管４０で接続されている。
【００１７】  室外機２０は、室外機制御装置２０１及び室外機通信装置２０２を有している。室外機制御装置２０１は、室外機通信装置２０２を介して得られるデータ及び室外機温度センサー２１の検出に係る温度に基づいて、室外機２０が有する圧縮機等の機器を制御する。また、室外機制御装置２０１は、集中管理リモートコントローラー１０が処理を行うためのデータを含む信号を室外機通信装置２０２に送信させる。室外機通信装置２０２は、室外機制御装置２０１が専用伝送線５０を介して他の装置と通信（送受信）を行うためのインターフェースとなる。室外機温度センサー２１は、室外機２０周辺の温度（気温）を検知する検知装置である。ここで、室外機温度センサー２１は室外機２０の構成の一部として記載しているが、例えば別ユニットで設ける等、室外機２０周辺の温度を検知できればよい。
【００１８】  室内機３０は、室内機制御装置３０１及び室内機通信装置３０２を有している。室内機制御装置３０１は、室内機通信装置３０２を介して得られるデータ及び室外機温度センサー２１の検出に係る温度に基づいて、室内機３０が有する送風機等の機器を制御する。室内機制御装置３０１は、集中管理リモートコントローラー１０が処理を行うためのデータを含む信号を室内機通信装置３０２に送信させる。室内機通信装置３０２は、室内機制御装置３０１が専用伝送線５０を介して他の装置と通信（送受信）を行うためのインターフェースとなる。
【００１９】  また、室内機３０は、室内機温度センサー３１及び室内機湿度センサー３２を有している。室内機温度センサー３１は、室外機３０周辺の温度（気温）を検知する検知装置である。また、室内機湿度センサー３２は、室外機３０周辺の湿度（相対湿度）を検知する検知装置である。ここで、室内機温度センサー３１及び室内機湿度センサー３２は室内機３０の構成の一部として記載しているが、例えば別ユニットで設ける等、室外機３０周辺の温度及び湿度を検知できればよい。
【００２０】  空調制御リモートコントローラー６０は、例えば操作者（図示せず）が空気調和装置２に指示を送信する、表示等により操作者に空気調和装置２の状態を教示する機器である。ここで、図１では、例えば、２台の空調制御リモートコントローラー６０のうち、１台は室内機３０と接続しており、もう１台は専用伝送線５０と直接接続している。室内機３０と接続している空調制御リモートコントローラー６０は、室内機３０を介して、室内機３０、室外機２０及び集中管理リモートコントローラー１０と各種信号等を送受信することができる。専用伝送線５０と直接接続している空調制御リモートコントローラー６０は、専用伝送線５０に接続されている集中管理リモートコントローラー１０、室外機２０及び室内機３０と各種信号等を送受信することができる。
【００２１】  空調制御リモートコントローラー６０は、空調制御リモートコントローラー制御装置６０１及び空調制御リモートコントローラー通信装置６０２を有している。空調制御リモートコントローラー制御装置６０１は、空調制御リモートコントローラー操作部６４を介して入力される指示及び空調制御リモートコントローラー６０が有する各種センサーが検知した物理量等に基づくデータを含む信号を空調制御リモートコントローラー通信装置６０２に送信させる。空調制御リモートコントローラー通信装置６０２は、空調制御リモートコントローラー制御装置６０１が他の装置と通信（送受信）を行うためのインターフェースとなる。
【００２２】  また、本実施の形態の空調制御リモートコントローラー６０は、人感センサー６１、照度センサー６２及び温度及び湿度センサー６５を有している。人感センサー６１は、赤外線センサー等で構成し、例えば人（物体）から放射される熱（温度）を検知する。空調制御リモートコントローラー制御装置６０１は人感センサー６１の検知した熱に基づいて人の存否を判定する。照度センサー６２は、空調制御リモートコントローラー６０の周囲における照度を検知する。温度及び湿度センサー６５は、空調制御リモートコントローラー６０の周囲における温度及び湿度を検知する。
【００２３】  さらに、本実施の形態の空調制御リモートコントローラー６０は、空調制御リモートコントローラー表示部６３及び空調制御リモートコントローラー操作部６４を有している。空調制御リモートコントローラー操作部６４は、操作者が入力した、室外機２０、室内機３０等に対する、運転命令、停止命令、温度設定、湿度設定等の指示に関する信号を送信する。また、それらの信号は、専用伝送線５０を介して集中管理リモートコントローラー１０にも送信される。
【００２４】  空調制御リモートコントローラー表示部６３は、空調制御リモートコントローラー制御装置６０１からの信号に基づいて、例えば、空気調和装置２の状態、専用伝送線５０を介して送られた信号中のデータ等を表示する。ここで、空調制御リモートコントローラー制御装置６０１は、人感センサー６１の検知に基づいて、人が不在であると判定すると、空調制御リモートコントローラー表示部６３のバックライトを消灯させる。また、人が存在すると判定すると、空調制御リモートコントローラー表示部６３のバックライトを点灯させる。省エネルギーをはかる。
【００２５】  本実施の形態では、空調制御リモートコントローラー表示部６３を液晶ディスプレイとし、空調制御リモートコントローラー操作部６４をタッチパネルとして、一体的に構成する。このため、操作性を向上することができる。このとき、空調制御リモートコントローラー表示部６３に表示される内容は、空調制御リモートコントローラー操作部６４に入力される指示に基づいて切りかわり、変化する。
【００２６】  ここで、空調制御リモートコントローラー操作部６４を複数の押しボタン等で構成するようにしてもよい。また、照度センサー６２、人感センサー６１、温度及び湿度センサー６５等の各種センサーを備えないものであってもよい。
【００２７】  以下においては、通信プロトコルが非公開の専用伝送線５０に接続され、空調対象空間の空気の調和に関連する本実施の形態の空気調和装置２を構成する機器（室外機２０、室内機３０及び空調制御リモートコントローラー６０）を空調機器とする。
【００２８】  図３は本発明の実施の形態１に係る集中管理リモートコントローラー１０の構成を示す図である。空気調和システム１の管理装置となる集中管理リモートコントローラー１０は、集中管理リモートコントローラー制御部１０１、集中管理リモートコントローラー通信部１０２、収集データ記憶部１０３、ローテーション制御データ記憶部１０４、集中管理リモートコントローラー表示部１０５、集中管理リモートコントローラー操作部１０６及び集中管理リモートコントローラー計時部１０７を有している。
【００２９】  集中管理リモートコントローラー制御部１０１は、集中管理リモートコントローラー１０の各部を制御する。また、本実施の形態の空気調和システム１全体を制御する処理を行う。例えば集中管理リモートコントローラー通信部１０２を介して受信した信号に含まれるデータを処理し、制御対象の空気調和装置２（空調機器）を制御する。特に、本実施の形態の集中管理リモートコントローラー制御部１０１は、後述するローテーション制御に係る処理を行い、受信した信号に含まれるデータに基づいてローテーション制御指令を作成し、集中管理リモートコントローラー通信部１０２を介して制御対象の空気調和装置２（空調機器）に送信させる。集中管理リモートコントローラー通信部１０２は、室内機通信装置３０２は、集中管理リモートコントローラー制御部１０１が専用伝送線５０を介して他の装置と通信（送受信）を行うためのインターフェースとなる。
【００３０】  収集データ記憶部１０３は、集中管理リモートコントローラー通信部１０２を介して受信した信号に含まれるデータを記憶する。ローテーション制御データ記憶部１０４は、集中管理リモートコントローラー制御部１０１が行ったローテーション制御に係るデータを記憶する。
【００３１】  ここで、専用伝送線５０により送られる信号で用いられる通信プロトコルに準拠した形式で形成されたものである。信号には、例えば、送信元アドレス、送信先アドレス、通信コマンドの電文長等の実データを含むヘッダー部と、通信コマンド部と、伝送エラーを検出するコード等を含むフレームチェック部とが含まれる。
【００３２】  通信コマンド部は、通信コマンドの分類を示す通信コマンド分類部、通信コマンドの動作内容を表す動作内容部及び通信コマンドの動作対象を表す動作対象部等で構成されている。ここで、信号は一例であり、特にこれに限定しない。
【００３３】  信号において、通信コマンド部には室内機湿度センサー３２の検知に係る湿度、室内機温度センサー３１の検知に係る温度、室外機温度センサー２１の検知に係る温度等のデータが含まれる。また、人感センサー６１の検知に係る熱、照度センサー６２の検知に係る照度、温度及び湿度センサー６５の検知に係る温度及び湿度、空調制御リモートコントローラー操作部６４からの指示に係るデータ等が含まれる。
【００３４】  集中管理リモートコントローラー表示部１０５は、集中管理リモートコントローラー制御部１０１から送られる信号に基づいて、例えば、収集データ記憶部１０３及びローテーション制御データ記憶部１０４が記憶するデータ等を表示する。
【００３５】  また、集中管理リモートコントローラー操作部１０６は、操作者が入力した指示を集中管理リモートコントローラー制御部１０１に送る。特に本実施の形態では、操作者は、集中管理リモートコントローラー表示部１０５に表示された編集領域、入力ウィンドウ等の画面に基づいて、集中管理リモートコントローラー操作部１０６を介してローテーション制御の設定に関する指示を入力することができる。そして、集中管理リモートコントローラー計時部１０７は、空気調和装置２のローテーション間隔における時間等を計時（カウント）を行う。
【００３６】  図４は本発明の実施の形態１における集中管理リモートコントローラー１０が行うローテーション制御の一例に関するフローチャートを示す図である。次に、上記で説明した内容に基づいて、ローテーション制御の動作について、図４に基づいて説明する。
【００３７】  図５は本発明の実施の形態１に係るローテーション制御編集画面の一例を示す図である。ステップＳ１１において、集中管理リモートコントローラー１０の集中管理リモートコントローラー制御部１０１は、集中管理リモートコントローラー表示部１０５にローテーション制御編集画面を表示させる。操作者は、集中管理リモートコントローラー操作部１０６を用いて、どの空調機器をローテーション制御の対象とするかを指定し、ローテーション制御内容を入力する。
【００３８】  ステップＳ１２において、集中管理リモートコントローラー制御部１０１は、操作者が集中管理リモートコントローラー操作部１０６を介して、空調機器の指定及びローテーション制御内容が入力されたか否かを判定する。そして、集中管理リモートコントローラー制御部１０１は、ローテーション制御内容が入力されるまで待機する。一方、集中管理リモートコントローラー制御部１０１は、ローテーション制御内容が入力されたものと判定すると、ステップＳ１３に進む。
【００３９】  ステップＳ１３において、集中管理リモートコントローラー制御部１０１は、後述するローテーション制御指令を実行処理し、ローテーション制御指令の処理を終了すると、ステップＳ１４に進む。
【００４０】  ステップＳ１４において、集中管理リモートコントローラー制御部１０１は、ステップＳ１２において入力判定を行った制御内容及び後述するローテーション制御内容を表示して、ステップＳ１５に進む。
【００４１】  ステップＳ１５において、集中管理リモートコントローラー制御部１０１は、後述するローテーション制御内容変更処理を実行して、ステップＳ１６に進む。
【００４２】  ステップＳ１６において、集中管理リモートコントローラー制御部１０１は、あらかじめ定めた第１周期が経過したか否かを判定する。集中管理リモートコントローラー制御部１０１は、第１周期が経過するまで待機する。集中管理リモートコントローラー制御部１０１は、第１周期が経過したと判定すると、ステップＳ１７に進む。
【００４３】  ステップＳ１７において、集中管理リモートコントローラー制御部１０１は、第１周期のカウント値をリセットし、ステップＳ１８に進む。
【００４４】  ステップＳ１８において、集中管理リモートコントローラー制御部１０１は、第１周期のカウント値のカウントを開始し、ステップＳ１３に戻る。
【００４５】  図６は本発明の実施の形態１における集中管理リモートコントローラー制御部１０１が行うローテーション制御指令の詳細例のフローチャートを示す図である。
【００４６】  ステップＳ２１において、集中管理リモートコントローラー制御部１０１は、集中管理リモートコントローラー操作部１０６からの信号に基づいて、ローテーション制御の対象となる空調機器に関するデータ（ローテーション制御対象データ）を得ると、ステップＳ２２に進む。
【００４７】  ステップＳ２２において、集中管理リモートコントローラー制御部１０１は、ローテーション制御データ記憶部１０４からローテーション制御データを読み込み、ステップＳ２３に進む。ローテーション制御データ記憶部１０４が記憶するローテーション制御データの内容に関しては後述する。
【００４８】  ステップＳ２３において、集中管理リモートコントローラー制御部１０１は、ローテーション制御対象データ及びローテーション制御データに基づいて、ローテーション制御の対象となる空調機器を決定する。そして、ローテーション制御データの内容を処理し、ローテーション制御指令を作成してステップＳ２４に進む。
【００４９】  ステップＳ２４において、集中管理リモートコントローラー制御部１０１は、集中管理リモートコントローラー通信部１０２に、専用伝送線５０を介して、ローテーション制御の対象となる空調機器にローテーション制御指令を送信させて、ステップＳ２５に進む。
【００５０】  ステップＳ２５において、集中管理リモートコントローラー制御部１０１は、ローテーション制御の対象となるすべての空調機器にローテーション制御指令を送信したか否かを判定する。すべての空調機器にローテーション制御指令を送信したと判定すると、処理を終了する。一方、集中管理リモートコントローラー１０は、すべての空調機器にローテーション制御指令を送信していないと判定すると、ステップＳ２５に戻る。
【００５１】  図７は本発明の実施の形態１における集中管理リモートコントローラー１０が行うローテーション制御内容変更処理の一例に関するフローチャートを示す図である。次に、ローテーション制御の内容変更に関する処理について、図７に基づいて説明する。
【００５２】  ステップＳ３１において、集中管理リモートコントローラー制御部１０１は、集中管理リモートコントローラー操作部１０６からの信号に基づいて、ローテーション制御変更の対象となる空調機器に関するデータ（ローテーション制御変更対象データ）を得ると、ステップＳ３２に進む。
【００５３】  ステップＳ３２において、集中管理リモートコントローラー制御部１０１は、ローテーション制御データ記憶部１０４からローテーション制御データを読み込み、ステップＳ３３に進む。
【００５４】  図８は本発明の実施の形態１におけるローテーション制御データの一例を示す図である。ローテーション制御データ記憶部１０４は、集中管理リモートコントローラー１０が専用伝送線５０を介して空調機器に送るローテーション制御指令の内容をデータとして記憶している。
【００５５】  制御内容の項目は、ローテーション制御において行う制御の内容を示す項目である。例えば、図８では「ローテーション間隔」、「運転」、「設定温度」及び「デマンド制御」の４つの制御内容をローテーション制御指令として空気調和装置２側に送り、空気調和装置２を制御する。また、設定の項目は、各制御内容の設定内容を示す項目である。例えば、制御内容が「ローテーション間隔」の場合においては、「無制限」、「３０分」、「２０分」又は「１０分」を設定することができる。そして、空調機器から送られるデータに基づいて、空気調和装置２のローテーション間隔、運転状態等を設定するための基準値が各設定には定められている。
【００５６】  図９は本発明の実施の形態１におけるローテーション制御データ記憶部１０４が記憶するデータの一例を示す図である。ローテーション制御データ記憶部１０４には空調機器から収集するデータが示す結果と制御内容毎に定めた数値との関係をデータとして有している。
【００５７】  例えば、図９に示すように、空調制御リモートコントローラー６０から受信した人感センサー６１における検知結果が１０人／ｈであった場合、「ローテーション間隔」における数値を−２０とし、「設定温度」における数値を＋１０とする。
【００５８】  集中管理リモートコントローラー制御部１０１は、制御内容毎に得られた数値を加算した値を基準値とする。そして、集中管理リモートコントローラー制御部１０１は、処理を行った結果、例えばローテーション間隔の項目における基準値が８０であれば、図８に示す基準値と対応した設定（「３０分」）をローテーション制御指令に含める。また、「設定温度」の項目における基準値が３０であれば、対応する設定「２５℃」をローテーション制御指令に含める。
【００５９】  ステップＳ３３において、集中管理リモートコントローラー制御部１０１は、専用伝送線５０を介してローテーション制御内容の変更に必要なデータを得るため、データ収集制御指令を空調機器に送信して、ステップＳ３４に進む。
【００６０】  ステップＳ３４において、集中管理リモートコントローラー制御部１０１は、すべての空調機器にデータ収集制御指令を送信したか否かを判定する。集中管理リモートコントローラー制御部１０１は、すべての空調機器にデータ収集制御指令を送信したものと判定すると、ステップＳ３５に進む。一方、集中管理リモートコントローラー制御部１０１は、すべての空調機器にデータ収集制御指令を送信していないと判定すると、ステップＳ３３に戻り、送信していない空調機器にデータ収集制御指令を送信する。
【００６１】  ステップＳ３５において、集中管理リモートコントローラー制御部１０１は、すべての空調機器からのデータ収集を完了したか否かを判定する。集中管理リモートコントローラー制御部１０１は、すべての空調機器からデータ収集が完了したと判定すると、ステップＳ３６に進む。一方、集中管理リモートコントローラー制御部１０１は、すべての空調機器からデータ収集を完了していないと判定すると、ステップＳ３５に戻り、データ収集を継続する。
【００６２】  ステップＳ３６において、集中管理リモートコントローラー制御部１０１は、すべての空調機器からのデータに基づいてローテーション制御指令内容を変更して、ステップＳ３７に進む。
【００６３】  ステップＳ３７において、集中管理リモートコントローラー制御部１０１は、変更したローテーション制御のデータをローテーション制御データ記憶部１０４に記憶して、ステップＳ３８に進む。ここで、ローテーション制御データ記憶部１０４が記憶するデータを集中管理リモートコントローラー表示部１０５に表示させ、ユーザーが閲覧することができる。また、集中管理リモートコントローラー操作部１０６を介して、ユーザーがローテーション制御指令のデータを変更指示を入力し、編集することができる。
【００６４】  ステップＳ３８において、集中管理リモートコントローラー制御部１０１は、収集したデータを収集データ記憶部１０３に記憶して処理を終了する。ここで、収集データ記憶部１０３が記憶するデータを、集中管理リモートコントローラー表示部１０５に表示させ、ユーザーが閲覧することができる。
【００６５】  以上のように、実施の形態１の空気調和システム１によれば、専用伝送線５０を介して集中管理リモートコントローラー１０と空調機器とを通信接続し、集中管理リモートコントローラー１０は空調機器の運転状態に基づいてローテーション制御指令の内容を変化させる処理を行うようにしたので、空調負荷に応じて変更したローテーション制御指令を各空調機器に送信し、制御の変更を行うことができる。したがって、空気調和システム全体において省エネルギーをはかることができ、また、快適性を向上させることができる。
【００６６】実施の形態２．  上述した実施の形態１では特に示さなかったが、空気調和システムにおいては、各空気調和装置２が行ったローテーション制御のデータをローテーション制御データ記憶部１０４に記憶しておくことができる。このため、例えば、空気調和システム１全体の消費電力量を規定の電力量内に収める必要がある場合に、ローテーション制御のデータに基づいてデマンド制御を行う順序を定めることができる。
【００６７】  例えば、空気調和装置２にローテーション間隔の合計に基づく累計運転時間を基準にして、累計運転時間が長い空気調和装置２からデマンド制御を行い、空気調和システム１全体の消費電力量を規定の電力量内に収める制御を行うことができる。
【符号の説明】
【００６８】  １  空気調和システム、２  空気調和装置、１０  集中管理リモートコントローラー、２０  室外機、２１  室外機温度センサー、３０  室内機、３１  室内機温度センサー、３２  室内機湿度センサー、４０  冷媒配管、５０  専用伝送線、６０  空調制御リモートコントローラー、６１  人感センサー、６２  照度センサー、６３  空調制御リモートコントローラー表示部、６４  空調制御リモートコントローラー操作部、６５  湿度センサー、１０１  集中管理リモートコントローラー制御部、１０２  集中管理リモートコントローラー通信部、１０３  収集データ記憶部、１０４  ローテーション制御データ記憶部、１０５  集中管理リモートコントローラー表示部、１０６  集中管理リモートコントローラー操作部、１０７  集中管理リモートコントローラー計時部、２０１  室外機制御装置、２０２  室外機通信装置、３０１  室内機制御装置、３０２  室内機通信装置、６０１  空調制御リモートコントローラー制御装置、６０２  空調制御リモートコントローラー通信装置。
【図１】
2015193976.tif 000003
【図２】
2015193976.tif 000004
【図３】
2015193976.tif 000005
【図４】
2015193976.tif 000006
【図５】
2015193976.tif 000007
【図６】
2015193976.tif 000008
【図７】
2015193976.tif 000009
【図８】
2015193976.tif 000010
【図９】
2015193976.tif 000011
【手続補正書】
【提出日】平成28年9月15日(2016.9.15)
【手続補正１】
【補正対象書類名】明細書
【補正対象項目名】０００８
【補正方法】変更
【補正の内容】
【０００８】
本発明に係る空気調和システムは、対象空間の空気調和に係る空調機器で構成する空気調和装置を有し、空気調和装置の運転状態をローテーション間隔毎に切り換え設定して制御するローテーション制御を行う管理装置を備える空気調和システムにおいて、管理装置は、通信線により接続された空調機器と通信を行う通信部と、空気調和装置の運転状態を設定する際、通信部の通信により空調機器から送られるデータに基づいて、空気調和装置の空調負荷に応じてローテーション間隔を設定する制御部と、を備えており、空調対象空間に設置された照度センサー又は人感センサーの少なくとも１つを備えるものである。
【手続補正２】
【補正対象書類名】特許請求の範囲
【補正対象項目名】全文
【補正方法】変更
【補正の内容】
【特許請求の範囲】
【請求項１】
対象空間の空気調和に係る空調機器で構成する空気調和装置を有し、前記空気調和装置の運転状態をローテーション間隔毎に切り換え設定して制御するローテーション制御を行う管理装置を備える空気調和システムにおいて、
前記管理装置は、
前記空調機器と通信を行う通信部と、
前記空気調和装置の運転状態を設定する際、前記通信部の通信により前記空調機器から送られるデータに基づいて、前記空気調和装置の空調負荷に応じて前記ローテーション間隔を設定する制御部と、を備えており、
空調対象空間に設置された照度センサー又は人感センサーの少なくとも１つを備える空気調和システム。
【請求項２】
前記空気調和装置は、空調リモートコントローラーを備え、前記空調リモートコントローラーは、前記照度センサー又は前記人感センサーの少なくとも１つを備える請求項１に記載の空気調和システム。
【請求項３】
前記制御部は、前記人感センサーで検知した前記空調対象空間の人数が、予め設定された人数よりも多いときに、ローテーション間隔を短く設定する請求項１又は請求項２に記載の空気調和システム。
【請求項４】
前記制御部は、前記照度センサーで検知した前記空調対象空間の照度が、予め設定された照度よりも小さいときに、ローテーション間隔を長く設定する請求項１〜請求項３のいずれか一項に記載の空気調和システム。
【請求項５】
前記制御部は、前記照度センサーで検知した前記空調対象空間の照度が、予め設定された照度よりも小さくなると、前記空調機器の運転時間を短く設定する請求項１〜請求項４のいずれか一項に記載の空気調和システム。
【請求項６】
前記空調機器は、さらに温度センサー及び湿度センサーを備える請求項１〜請求項５のいずれか一項に記載の空気調和システム。
【請求項７】
前記管理装置は、前記ローテーション制御において行う前記運転状態の制御内容毎に、設定と基準値とを関連付けしたデータを有し、
前記制御部は、前記ローテーション制御の制御内容毎に、前記空調機器から送られるデータを数値化し、対応する基準値と関連付けた設定で、前記運転状態及び前記ローテーション間隔を設定する請求項１〜請求項６のいずれか一項に記載の空気調和システム。
【請求項８】
空気調和装置における前記ローテーション間隔の時間を記憶する記憶部を備え、
前記制御部は、システム全体の消費電力量が規定電力量を超えるものと判断すると、前記記憶部が記憶する前記空気調和装置のローテーション間隔に基づいて、前記消費電力量を規定電力量内に収めるようにデマンド制御指令を送る前記空気調和装置の順序を決定する請求項１〜請求項７のいずれか一項に記載の空気調和システム。
【請求項９】
前記制御部は、前記人感センサーで検知した前記空調対象空間の人数が、予め設定された人数よりも少ないときに、前記消費電力量を規定電力量内に収めるようにデマンド制御指令を送る請求項８に記載の空気調和システム。
【請求項１０】
前記制御部は、前記照度センサーで検知した前記空調対象空間の照度が、予め設定された照度よりも小さいときに、前記消費電力量を規定電力量内に収めるようにデマンド制御指令を送る請求項８又は請求項９に記載の空気調和システム。
【国際調査報告】
2015193976.tif 000012
2015193976.tif 000013
2015193976.tif 000014
2015193976.tif 000015